Podtech/llm-jp-corpus-v4-ja_patent huggingface dataset:
(57)【要約】【課題】鉛フリー化した金属化ポリプロピレンを用いた乾式金属化フィルムコンデンサの酸化劣化（銅害）防止と耐腐食性を両立できる、錫−亜鉛系合金組成のメタリコン材料を提供する。【解決手段】錫−亜鉛系合金に、銅を０．２〜０．７ｗｔ％の範囲で含有させることにより、電極電位試験での耐蝕性に問題もなく、連続耐用性試験での銅による金属化ポリプロピレン酸化劣化（銅害）の影響もなく、特性面での安定化を図ることができる。【選択図】なし【特許請求の範囲】
【請求項１】
ポリプロピレンフィルムの少なくとも片面に金属を蒸着した金属化ポリプロピレンフィルムを重ね合わせるか、または金属化ポリプロピレンフィルムとポリプロピレンフィルムを重ね合わせ巻回してなるコンデンサ素子の両巻回端面に、メタリコン層を形成して外部電極とした金属化ポリプロピレンフィルムコンデンサ素子において、
前記メタリコン層の成分が、銅を０．２〜０．７ｗｔ％含有する錫−亜鉛系合金であることを特徴とする金属化ポリプロピレンフィルムコンデンサ。
【発明の詳細な説明】
【技術分野】
【０００１】
本発明は、金属化ポリプロピレンフィルムを用いた乾式金属化フィルムコンデンサに関するものである。
【背景技術】
【０００２】
金属化フィルムコンデンサは、一般に誘電体であるプラスチックフィルムにアルミニウムの金属を蒸着して、金属薄膜を形成し、この金属薄膜を内部電極とした金属化フィルムを重ねて巻回した後、その両巻回端面に錫や亜鉛などの金属を溶射して外部電極を形成しコンデンサ素子としている。
金属化フィルムコンデンサの外部電極となるメタリコン層の成分は、錫９０．０〜９６．０ｗｔ％、亜鉛２．５〜６．０ｗｔ％、アンチモン０．５〜１．５ｗｔ％、銅１．０〜２．５ｗｔ％の範囲で、銅含有量の多い組成のものが、メタリコン材料の耐蝕性向上、耐熱性、耐湿性および電気的な接続、特性等の改善のために用いられている（特許文献１参照）。
【０００３】
【特許文献１】特開平１１−２０４３６８
【発明の開示】
【発明が解決しようとする課題】
【０００４】
しかし、上記錫−亜鉛系合金をメタリコンとして用いると、金属化ポリプロピレンを用いた乾式金属化フィルムコンデンサの充放電特性、耐用性が不安定でバラツキがあった。
これはメタリコン成分として用いられる銅成分の触媒作用により、誘電体ポリプロピレンフィルムの酸化劣化（銅害）の進行が著しく早まるためであり、逆にコンデンサの耐腐食性の面では銅が必要であることより、酸化劣化防止と耐腐食性を両立するメタリコン材料が求められていた。
【課題を解決するための手段】
【０００５】
本発明はこれを解決するもので、ポリプロピレンフィルムの少なくとも片面に金属を蒸着した金属化ポリプロピレンフィルムを重ね合せるか、または金属化ポリプロピレンフィルムとポリプロピレンフィルムを重ね合わせ巻回してなるコンデンサ素子の両巻回端面に、メタリコン層を形成して外部電極とした金属化ポリプロピレンフィルムコンデンサ素子において、前記メタリコン層の成分が、銅を０．２〜０．７ｗｔ％含有する錫−亜鉛系合金であることを特徴とするものである。
【発明の効果】
【０００６】
本発明の金属化ポリプロピレンを用いた乾式金属化フィルムコンデンサは、外部電極金属材料（メタリコン層）として、錫−亜鉛系合金組成に、銅を０．２〜０．７ｗｔ％の範囲で含有することにより、誘電体ポリプロピレンの酸化劣化を抑制し、耐腐食性に優れ、品質の安定化を図ることが可能となる。
また、充放電特性、耐用性面で必要とするレベルが確保でき、耐腐食性を劣化させることなく、鉛フリー化した金属化ポリプロピレンを用いた乾式金属化フィルムコンデンサの耐用性等、特性面での劣化もなく安定化を図ることができる。
【発明を実施するための最良の形態】
【０００７】
ポリプロピレンフィルムにアルミニウムを蒸着させた金属化ポリプロピレンフィルムを重ねて巻回してコンデンサ素子とし、その両巻回端面にメタリコンを溶射して電極を形成し、金属化ポリプロピレンを用いた乾式金属化フィルムコンデンサを作製した。メタリコンは、錫９０．０〜９６．０ｗｔ％と亜鉛２．５〜４．５ｗｔ％の合金に、アンチモン０．５〜１．０ｗｔ％を加え、銅の含有量を０．０〜１．０ｗｔ％で変化させて作製した。
【実施例１】
【０００８】
メタリコン金属材料の錫−亜鉛系合金組成に、アンチモン０．７ｗｔ％を加え、銅含有量が０．０ｗｔ％、０．２ｗｔ％、０．５ｗｔ％、０．７ｗｔ％、１．０ｗｔ％配合の５種類のメタリコン金属線材料を作製し、その線材の耐蝕性試験を行った。
表１にその耐蝕性試験結果を示す。試験は３．５ｗｔ％の塩化ナトリウム水溶液に、線径１．３ｍｍのメタリコン金属材料を２４時間浸漬し、目視で白色変化している箇所があれば×、なければ○とした。水溶液温度は３０℃、雰囲気は大気開放とした。
銅含有量が１．０ｗｔ％の配合系は最も良好な結果であったが、銅含有量が０．２ｗｔ％、０．５ｗｔ％、０．７ｗｔ％の材料との差異は見られず耐蝕性は何れも差異は見られなかった。しかし、銅含有量が０．０ｗｔ％の材料は、浸漬部表面の金属光沢がなくなり、腐蝕していた。
【０００９】
【表１】
2007207884.tif 000002
【実施例２】
【００１０】
次に、金属化ポリプロピレンフィルムコンデンサ素子の両巻回端面に、外部電極となる５種類のメタリコン金属線材料を溶射し、メタリコン層を形成した乾式金属化ポリプロピレンを用いた乾式金属化フィルムコンデンサ（静電容量０．６８μＦ、定格電圧６３０Ｖ）について、連続耐用性試験１０００時間の結果を表３に、連続耐用性試験後の充放電試験の結果を表２に示す。
１０００時間の連続耐用性試験後の充放電試験（耐電流性）は、試料１０個とし、各充放電電流毎にそれぞれ１０００回の試験を実施後、１０ｋＨｚでｔａｎδを測定し、初期値の１．２倍以下を合格とし、その個数を計測した。なお、充放電電流（Ａ／ｍ）は、金属化ポリプロピレンフィルムの有効電極長（ｍ）あたりのピーク電流で設定した。
【００１１】
【表２】
2007207884.tif 000003
【００１２】
また、連続耐用性試験は、作製した金属化ポリプロピレンを用いた乾式金属化フィルムコンデンサ（静電容量０．６８μＦ、定格電圧６３０Ｖ）の初期値を計測して、温度８５℃で、定格電圧６３０Ｖの１．２５倍の電圧を印加して、連続耐用性試験１０００時間実施後、静電容量変化率（ΔＣａｐ±７％以内）、１ｋＨｚでのｔａｎδ（０．８８％以下）、絶縁抵抗（１３２０ＭΩ以上）を測定した。試料数は１０個でデータは平均値とした。
【００１３】
【表３】
2007207884.tif 000004
【００１４】
銅の含有量１．０ｗｔ％配合系では、銅による誘電体ポリプロピレンの巻回端面部（外部電極との接触面）での酸化劣化が進行したと推測され、高周波誘電体損失（４０ｋＨｚ）の増加傾向が見られたこと、および充放電試験で耐電流性が劣ることが分った。
従って、メタリコン金属材料の錫−亜鉛系合金組成の銅含有量は０．２〜０．７ｗｔ％の範囲が好適である。
【００１５】
なお、本実施例ではメタリコンを１層としたが、本発明によるメタリコン層の外層に、さらに異なる組成のメタリコン層を設けてもよいことはいうまでもない。
(57)【要約】【課題】    この発明は本体内壁に温度計を一体に有する可撓性ある素材で作られたベビーバスに関するものである。【解決手段】本体内壁に透明なポケットを一体に設け、中にシート状の温度計を挿入する。またはシート状温度計を本体内壁に熱溶着、或いは接着する。【選択図】図１
2007130405.tif 000002
【特許請求の範囲】
【請求項１】
可撓性のある材質で作られたベビーバスにおいて、その内壁面に一体となって構成されるシート状温度計を有することを特徴とするベビーバス。
【発明の詳細な説明】
【発明の詳細な説明】
【技術分野】
【００１】この考案は温度計を有するベビーバスに関するものである。
【背景技術】
【００２】従来、ベビーバスはプラスチック製またはビニール製の小型湯桶が使用されているが、温度計は別体で使用時に湯船に浮かべて使用し温度計測にあたり煩雑であった。
【発明が解決しようとする課題】
【００３】乳児の沐浴は、夏は３７度から３９度とされ、冬場で３８度から４１度程度とされ、その温度管理が必要とされるにも拘らず、別に湯船に浮かべる温度計を購入せねばならず、別体である為にその使用、管理、収納が面倒であった。更に湯船に浮かぶ温度計が乳児の沐浴時に邪魔になった。また別体の温度計はお湯に入れてから湯温を表示するまでの間、時間を有し、冬場は乳児が寒い思いをしなければならないこともあった。
【課題を解決するための手段】
その解決手段を図によって説明すると、
（イ）  ビニール製のベビーバス▲１▼の内壁にシート状温度計▲５▼を有することの出来る透明ポケット▲２▼を一体に設け、その中にシート状温度計を挿入する。
（ロ）  または、ベビーバス▲１▼の内壁にシート状温度計を直接溶着または接着する。
以上のように構成する。
【発明を実施するための最良の形態】
【００４】本発明の実施の形態を述べると、可撓性のある材質とは、ビニールやウレタン、ポリエチレン、ポリプロピレンなどの合成樹脂製のシートを溶着などで貼り合わせ内部に空気を注入することにより空気層を有することによって形成されるベビーバスである。請求項１の実施例として、ビニール製のベビーバス▲１▼の内壁部分に横型の透明ポケット▲２▼を設ける。透明ポケットは材質が同じの透明ビニールが望ましい。ポケットは多少着色されていても視認性に問題がなければ、黄色透明、緑色透明等の薄い着色ビニール素材を用いても構わない。ポケットは１以上の開口部を有し、その中にシート状の温度計▲５▼を挿入出来るようにする。ポケットの形状は横長の温度計では左右開口や縦型の温度計では上下開口でも構わない。また、使用後の水切りを良くする為に更に開口部を設けても構わない。図４の温度計用のポケットは横長で、半弧状の▲７▼▲８▼▲９▼が開口している。他の直線部分は閉口しベビーバス本体と溶着させ内部の温度計を保持する。温度計が縦長の場合はポケットは図２の▲４▼のように縦長となる。【００５】内壁に一体となって形成されるポケットは、温度計本体よりやや大きめに形成される。ベビーバス本体が可撓性を有するがために、空気を注入する前にはシートまたはカード状の温度計を本体との間のポケットに容易に挿入出来るが、空気を注入した後はベビーバス本体の膨張により温度計を有するポケットとの間に隙間が殆ど生じず密着して温度計は保持される。【００６】挿入する温度計はシートまたはカード状であり温度によってその色を変えたり、発色する液晶や示温性インキによって構成され、耐水性のあるシートやフィルム等で形成される。図３はシート状温度計で▲６▼の白抜き数字は表示部を示す。【００７】他の実施例としては、図３のシート状温度計の表裏をベビーバス本体と熱融合性のある合成樹脂フィルムでラミネート加工し、その余部をもって本体に熱溶着したり、あるいは防水加工をしたフィルム状温度計の裏面に接着剤を塗り、本体と接着しても良い。  また、示温性インキや温度変化に感応する液晶を直接フィルム状基板に塗布し防水性を持たせ、直接ベビーバス本体に熱溶着させても良い。【００８】  温度計はベビーバスに湯が入った状態で、その湯面からやや下方に位置させ、適切な温度を表示させることが望ましい。また、水面付近では光の屈折により、温度計が小さく現れるので、なるべく垂直より水面方向に向かう角度を有する場所に位置させることが望ましい。  本体内壁にポケットを設ける実施例ではポケット表面に凸レンズ状に厚みを有すれば、より視認性が向上する。
【発明の効果】
【００９】温度計がベビーバスに一体となって構成されているので、お湯を入れた状態で、すぐに湯の温度の計測ができる。また、赤ちゃんの沐浴時に邪魔にならず、ベビーバスと一体に形成されるので後片付けも容易である。
【図面の簡単な説明】
【図１】      本発明の温度計を挿入するためのポケットを横長に有するビニール製ベビーバスの斜視図。
【図２】      本発明の温度計を挿入するためのポケットを縦長に有するビニール製ベビーバスの斜視図。
【図３】      シート状の温度計の正面図
【図４】      透明ポケットの正面図
【符号の説明】
▲１▼はビニール製ベビーバス本体
▲２▼は透明の横長ポケット
▲３▼は水抜き栓
▲４▼は縦長の透明ポケット
▲５▼はシート状温度計本体
▲６▼は温度表示部
▲７▼はポケットの開口部
▲８▼はポケットの開口部
▲９▼はポケットの開口部
【図１】
2007130405.tif 000003
【図２】
2007130405.tif 000004
【図３】
2007130405.tif 000005
【図４】
2007130405.tif 000006
(57)【要約】【課題】  輪投げは標的に輪を投げ入れる一人遊戯で、それ自体楽しい遊びであるが輪投げをする本人以外はあくまで傍観者にすぎない。輪投げの標的に工夫を凝らし、投げられた輪が標的に入るのを妨げる機能を持たせることにより、輪投げをする者と標的に入るのを阻止する者二人が同時に遊技として楽しめるようにした。【解決手段】  標的に輪が入るのを阻止するため標的とは別に制御部を設け、この操作を行う者も輪投げ遊技に参加、同時に二人が輪投げを楽しめるようにした。【選択図】図１
2007130431.tif 000002
【特許請求の範囲】
【請求項１】
図１のポール１に揺動する可動アーム８ａ、８ｂを設け、ポール部とは別に制御部２を設け、制御シャフト１６を上下に作動させることにより、図２の可動アーム駆動部材を上下方向にスライドさせることにより、前記可動アームを揺動させ、ポールに輪が入るのを妨げる特徴を備えた二人遊技用輪投げ。
【請求項２】
実施例１のポール部及び制御部を樹脂成形とし、前記制御部を電気的に制御するコントロールボックス２３に置き換え、前記可動アームの揺動を電動アクチュエーター２１の伸縮ロッド２２により行うことや、またはモーター駆動によるカム、スライダクランク機構を用いて前記可動アームを揺動させ、ポールに輪が入るのを妨げる特徴を持つ請求項１記載の二人遊技用輪投げ。
【請求項３】
前記可動アームの揺動によりポールに輪が入るのを妨げる輪は、弾き飛ばされることが遊技のポイントであるため、輪はパイプ状のものではなく、平面体のシート状軽量樹脂製とすることを特徴とした請求項記載の１〜２の二人遊技用輪投げ。
【発明の詳細な説明】
【技術分野】
【０００１】  この発明は、通常の輪投げ遊戯のように輪投げをする者一人でも楽しめるが、競技性を持たせるため輪を投げる者と、投げられた輪を標的に入らないように阻止する者の二人が同時に遊技が楽しめるようにしたものである。
【背景技術】
【０００２】  従来技術として標的である輪投げ台が電動により走行・回転するものや、標的がモーターにより傾斜や首振り運動を行いゲーム性を高めた遊戯施設用のゲーム装置用標的駆動装置がある。
【特許文献１】特開  ２００４−３５８１９７
【特許文献２】特開平１０−５４４２
【発明の開示】
【発明が解決しようとする課題】
【０００３】  しかし従来技術は、標的に向けて投げる者一人の遊戯であり、同時に二人が遊技として楽しむ要素を持ったものは見当たらない。
【課題を解決するための手段】
【０００４】  以上の課題を解決するため、請求項１の標的であるポール１に扇状に揺動する左右の可動アーム８ａ、８ｂを設け、該可動アームを制御する制御部２よりポールに輪が入るのを阻止する者が遊技に参加出来るようにし、輪を投げる者と阻止する者の二人が同時に遊技出来ることを特徴とした。
【発明の効果】
【０００５】  一人遊戯である輪投げを同時に二人が楽しめ、面白みが倍加するように競技性のある遊技に発展させた。
【発明を実施するための最良の形態】
【実施例１】
【０００６】  図１は全体の構成を示す。
標的である前記ポールと、輪が入るのを阻止するための前記制御部から構成されている。【０００７】  図２は前記ポールの側板４ａを外したポール内部の概要図である。頭部３はライオンやうさぎ等他の動物に差換え出来るようになっている。
構成内容は前記頭部と、側板４ａ・４ｂに固定されシャフト６を保持するための上部シャフト固定部材５、扇状に揺動する前記可動アーム、該可動アームを押上げる可動アーム駆動部材９、前記シャフトを保持する下部シャフト固定部材１２そして台座１３から構成されている。【０００８】  以下発明の実施の形態を図１及び図２に基づいて説明する。
例えば遊技者Ａが前記ポールに向けて輪を投げると、もう一人の遊技者Ｂはこの輪が前記ポールに入らないように阻止するため、輪が飛んでくるタイミングを図って前記制御部の握り１５を押し下げると、該握りに接続されている制御シャフト１６は支持板１３を支点にして前記側板４ａのスライド溝１１に沿って持上がる。【０００９】  前記制御シャフトの先端は二股に分かれおり、その先端は前記可動アーム駆動部材の制御シャフト差込口１０に入っており、前記可動アーム駆動部材は前記シャフトに沿って上昇する。
前記可動アーム駆動部材の上部両端に接している左右の前記可動アームは前記側板ａ、ｂに保持された軸ａ、ｂを中心にして扇状に揺動し、腕を広げた形になり、前記ポール先端に入って来る輪１７を弾き、前記ポールに入るのを阻止する。（図３）【００１０】  遊技者Ｂは前記握りから手を離すことにより、前記制御シャフトは前記可動アームの自重により下降し、これと接している前記可動アーム駆動部材も押し下げられ、前記下部シャフト固定部材にあたって係止し元の状態に戻る。
【実施例２】
【００１１】  実施例１では素材を主に木とし、手造りによる制作を考慮したもので、前記制御部は手動により前記輪が入るのを阻止していたが、実施例２での主な変更点は素材を樹脂成形製とし、前記制御部を電気的に駆動するコントロールボックスに置換え、前記可動アームを揺動する部材として、一例として電動アクチュエーターを図示したが、請求項２に記載したモーター駆動によるカムやスライダクランク機構を用いてもよい。【００１２】  図４はポール部内部の概要図で、左右の前記可動アームが扇状に開放されたのを図示している。以下その実施形態を電動アクチュエーターを一例にして説明する。
前記ポールに向って投げられた前記輪の阻止は、コントロールボックス２３のスイッチ２４を押すことにより、通電し電動アクチュエーター２１が作動し、内部に収容されている伸縮ロッド２２がモーターにより上昇し、可動アーム揺動部材１９は前記側板ａ、ｂに一体成型された２本の可動アーム揺動部材ガイド２０に沿って押上げられ、前記可動アームａ、ｂを扇状に揺動させ、前記輪が入るのを阻止する。
前記コントロールスイッチの前記スイッチをＯＦＦにすることにより前記電動アクチュエーターの電源はＯＦＦとなり、前記伸縮ロッドは下降し、前記電動アクチュエーター内部に収容される。前記伸縮ロッドの下降と共に、前記可動アーム揺動部材も自重により下降し、前記電動アクチュエーターの上端部にあたり係止される。これにより前記可動アームａ、ｂは自重により開放された位置から基の閉じられた状態に戻る。
なお、コントロールボックスの電源供給はＡＣ電源、ＤＣ電源のどちらを使用してもよい。
【図面の簡単な説明】
【図１】構成図
【図２】ポール部内部概要図
【図３】可動アーム開放図
【図４】第２実施形態の概要図
【符号の説明】
１．ポール、２．制御部、３．頭部、４．側板ａ・ｂ、５．上部シャフト固定部材、６．シャフト、７．軸ａ・ｂ、８．可動アームａ・ｂ、９．可動アーム駆動部材  １０．スライド溝、１１．制御シャフト差込口、１２．下部シャフト固定部材、１３．台座、１４．支持板、１５．握り、１６．制御シャフト、１７．輪、１８．制御部台座、１９．可動アーム揺動部材、２０．可動アーム揺動部材ガイド、２１．電動アクチュエーター、２２．伸縮ロッド、２３．コントロールボックス、２４．スイッチ、２５．コード
【図１】
2007130431.tif 000003
【図２】
2007130431.tif 000004
【図３】
2007130431.tif 000005
【図４】
2007130431.tif 000006
(57)【要約】      （修正有）【課題】足のケガなどにおいて、膝から下を足指の付け根までギブスで巻かれたとき、足の裏の不快感や臭い、かゆみに悩まされ、精神的にも苦痛を受けることを解消する。【解決手段】足の裏や、ギブスの中のかゆみを解消する本体と、該本体の外面にに足の裏の汗と臭いを吸収する吸収パットを取付ける。【選択図】図１
2007130413.tif 000002
【特許請求の範囲】
【請求項１】
足の裏や、ギブスの中のかゆみを解消する本体と、前期の本体に足の裏の汗と臭いを吸収する袋上パット
【請求項２】
本体の中骨にイボイボを作る・・・汗と臭いを吸収する請求項１記載の取替え用パット
【発明の詳細な説明】
【技術分野】
【０００１】  本発明は、足のケガによる足裏掃除やギブス中のかゆみ解消
【背景技術】
【０００２】  かゆみを解消する為に，本体にイボイボを取付ける。【０００３】  汗や臭いを吸収する取替え用パット
【特許文献１】
【非特許文献１】  「足の不快感解消」２００５年、
【発明の開示】
【発明が解決しようとする課題】
【０００４】  足のケガなどにおいて、膝から下を足指の付け根までをギブスで巻かれたとき、痛い思いから開放され、やっと退院したかと思うと今度は足裏の不快感や臭い、かゆみに悩まされ精神的にも苦痛をしいたげられる。
【問題を解決するための手段】
【０００５】  本発明は、かゆい所に手が届くイボイボつき棒や、狭いすき間に入り、汗や臭いを吸い取る吸収パットにより快適な日々を過ごすことができる。
【発明の効果】
【０００６】  上述したように本発明の足裏掃除は、かゆみや不快感を我慢する事無くいつでも、快適にすごし、取替え用なので何回でも使用可能であり、経済的にもすぐれている。
【発明の実施するための最良の形態】
【０００７】  以下、本発明の実施の形態を図１から図２に基づいて説明する。
【０００８】  図面１においては、本体の中骨で、薄さと強さと長さにこだわり、かゆい所に手が届くように工夫した。
【０００８】  図面２においては、足の裏とギブスの両面の汗を吸収するために、外面に吸収パットを取付け一度に解消できるようにした。
【図面の簡単な説明】
【０００９】
【図１】  本体の中骨を示すイボイボのついた棒
【図２】  取替え用パット
【符号の説明】
【００１０】  １  本体に取付けているイボイボ
２  取替えパットの両面吸収パット
【図１】
2007130413.tif 000003
【図２】
2007130413.tif 000004
(57)【要約】【課題】ズボンをハンガーに上手く掛けることができない人のために、両手でズボンを整えて、そのままの状態でズボンを掛けることのできる椅子の背もたれの形のハンガーを提供します。【解決手段】ハンガーのズボン掛け部分２を椅子の背もたれのような形にすることによって、ズボンをきれいに整え、その状態のままで両手を使ってズボン掛け部分２の上に置き、ズボンをきれいに掛けることができるようにします。【選択図】図４
2007130414.tif 000002
【特許請求の範囲】
【請求項１】
ズボンを従来のハンガーのように三角形の中を通して掛ける方法から椅子の背もたれの部分に置くようにして掛ける方法を提案します。
【発明の詳細な説明】
【技術分野】
【０００１】本発明はスーツのズボンなどを上手くハンガーに掛けることのできない人が、椅子の背もたれにズボンを掛けるように両手を使って簡単にかつ綺麗にズボンを掛けることができるようにしたものである。
【背景技術】
【０００２】従来のハンガーは、ズボンを両手で置くようにして掛けることができるものはなかった。
【発明の開示】
【発明が解決しようとする課題】
【０００３】男の人は会社から帰って背広のズボンをハンガーに掛けるのは不得意のようだ。きれいに掛けてもベルトが重いせいか、するりと落ちてしまいます。（夏物は素材が薄いため特に落ちやすい。）これはきちんと掛けることができる人の例で、私の主人などは、きれいに整えて掛けることがどうしても出来ません。ただ単にハンガーにくしゃくしゃな状態で通してあるという感じです。そこでズボン専用のハンガーを買っても、やはりくしゃくしゃに掛けてある。本発明はこの課題を解消するためになされたものである。
【課題を解決するための手段】
【０００４】従来のハンガーの形ではなく、椅子の背もたれと同じような形のズボン掛け部分２を作ることによって、ズボンを両手で整え、その状態を保って両手で置くことができるようにしました。また、ズボンを支える面に滑り止めラバー素材３を付けることによって、より一層落ちにくくしました。
【発明の効果】
【０００５】椅子の背もたれのような形のズボン掛け部分２にズボンを置くだけでズボンを掛けることができるので、従来の三角形状のハンガーの中にズボンをくぐらせるのが苦手な人や手が不自由な状況にある人でも簡単にかつ綺麗に掛けることができる。また、従来のハンガーのように棒状の所にズボンを掛けるのとは違い、ズボンの折片面５をズボン掛け部分２の面で支え、ズボンのもう一つの折片面６を宙に浮かすことでズボンの折面同士の摩擦がなくなりズボンが滑り落ちるのを防ぐことができる。
【実施例１】
【０００６】ハンガー本体１を図６、図９のように短いタイプにすることもできる。
【実施例２】
【０００７】図１０のように壁などにハンガー本体１を掛けて使用するのもいいと思う。
【図面の簡単な説明】
【０００８】
【図１】  本発明の断面の詳細図である。
【図２】  本発明の正面図である。
【図３】  本発明の真横から見た図である。
【図４】  本発明の立体図である。
【図５】  本発明の縦の長さが短いタイプのものを真横から見た図である。
【図６】  本発明の縦の長さが短いタイプの立体図である。
【図７】  本発明を夏物スーツのズボンにベルトを通した状態で利用した時の図である。
【図８】  本発明を厚手のスーツのズボンや、ジーンズを掛けたときの図である。
【図９】  本発明の縦の長さが短いタイプのものを使用した図である。
【図１０】  本発明を壁にかけて使用した図である。
【符号の説明】
【０００９】１  ハンガー本体
２  ズボン掛け部分
３  滑り止めラバー素材
４  フック
５  ズボン折片面
６  ズボンのもう一つの折片面
７  ベルト
【図１】
2007130414.tif 000003
【図２】
2007130414.tif 000004
【図３】
2007130414.tif 000005
【図４】
2007130414.tif 000006
【図５】
2007130414.tif 000007
【図６】
2007130414.tif 000008
【図７】
2007130414.tif 000009
【図８】
2007130414.tif 000010
【図９】
2007130414.tif 000011
【図１０】
2007130414.tif 000012
(57)【要約】【課題】  従来のテニスラケットは、操作性の向上、スゥイングスピードアップ、振動減衰性、握力の低下を軽減し持続力が得られるような総合性に優れたものはなかった。【解決手段】  強力な手のひらの握り状態と同じようにグリップストッパーを設けることにより、握り手とグリップストッパーが自然の状態で一体化し操作性の向上、スイングスピードをさらにアップし、振動減衰性、さらにグリップエンドが握り手のストッパーとなり握力低下を軽減し持続力が得られる。これにより総合性にすぐれたテニスラケットを提供できる。【選択図】図１
2007130423.tif 000002
【特許請求の範囲】
【請求項１】
グリップの、グリップエンドより連なる外周に沿って湾曲した円週の凹を形成したグリップストッパーを設けたテニスラケット。
【発明の詳細な説明】
【技術分野】
【０００１】  本発明は、操作性の向上、スイングスピードをさらにアップし、振動減衰性し、握力の低下を軽減し持続力が増するように図ったテニスラケットに関する。
【背景技術】
【０００２】  従来のテニスラケットには、グリップの部材にて握持力を対応したものがある。（例えば、特許文献１参照）。【０００３】  以下、図１，２，３，４，５に示すようにグリップの表面に部材を覆ったものである。
【特許文献１】  特開平０３−３２５７１２号  広報
【発明の開示】
【発明が解決しようとする課題】
【０００４】以上に述べた従来のテニスラケットでは、操作性の向上、スゥイングスピードアップ、振動減衰性、握力の低下を軽減し持続力が得られるような総合性に優れたものはなかった。【０００６】  本発明は、このような従来の構成が有していた問題を解決しようとするものであり、操作性の向上、スウイングスピードをさらにアップし、振動減衰性し、握力の低下を軽減し持続力が得られるテニスラケットを実現することを目的とするものである。
【課題を解決するための手段】
【０００７】  そして、本発明は上記目的を達成するためにグリップのグリップエンドより連なる外周に沿って湾曲した円周の凹を形成したグリップストッパー設けた。【０００８】  上記の解決手段による作用は次の通りである。すなわち、物を握って力が入る強力な手のひらと指の状態は、小指からなる径が１番小さく次に薬指からなる径であるから、強力な手のひらと指の状態と同じくグリップを湾曲した円周の凹を形成したグリップストッパーを設けることにより握り手とグリップストッパーが自然の握り状態で一体化し、操作性の向上、スウイングスピードをさらにアップし、振動減衰性し、さらにグリップストッパーが握り手のストッパーとなり握力低下を軽減し持続力が得られる。
【発明の効果】
【０００９】  上述したように本発明のテニスラケットは、握り手とグリップストッパーが自然の状態で一体化し操作性の向上、スウイングスピートをさらにアップし、振動減衰性し、さらにグリップストッパーが握り手のストッパーとなり握力低下を軽減し持続力が得られる二面性を備えたテニスラケットを提供できる。【００１０】  また、上記のテニスラケットはグリップエンドより連なる外周に沿って湾曲した円週の凹を形成したグリップであり、後加工で手になじむようにテープ・ラバーなどのより良い素材でグリップを覆う必要がある。【００１０】  また、上記のグリップエンドの径の大きさ形態などにはこだわっていない、たとえば、径を大きくすることによりストッパーの役目をさらに発揮するが、逆に大きすぎて邪魔になるので、より良いサイズが必要である。【００１１】  また、上記のグリップ、グリップストッパー、グリップエンドの素材、形態などにはこだわっていないたとえば、子供と大人の手の大きさが違いもあり、時代により新素材が開発されるので使用者により良い素材、形態が必要である。
【発明を実施するための最良の形態】
【００１２】  以下、本発明の実施の形態を図１〜図３に基づいて説明する。【００１３】  図においては、テニスラケットの１グリップと２グリップエンドより連なる外周に沿って湾曲した円周の凹を形成した３グリップストッパーを設けたテニスラケットで、４は端部で、５はグリップトップである。【００１４】  以下、上記構成を説明する。１グリップと２グリップエンドより連なる外周に沿って湾曲した円周の凹３グリップストッパー部分で径が小さい部分を小指に当てて握ることにより、握り手と３グリップストッパーが自然の握り状態で一体化し、操作性の向上、振動減衰性し、スウイングスピードをさらにアップし、スウイングすると３グリップストッパーの径が小さい部分から連なるグリップエンドまでが握り手のストッパーになり、握力低下を軽減し持続力が得られる。
【図面の簡単な説明】
【００１５】
【図１】  本発明の実施形態を示すテニスラケットを横から見た外観図
【図２】  同グリップを横から見た外観図
【図３】  同グリップを横から見た使用図
【図４】  同グリップの端部から斜め横から見た外観図
【符号の説明】
【００１６】１  グリップ
２  グリップエンド
３  グリップストッパー
４  端部
５  グリップトップ
【図１】
2007130423.tif 000003
【図２】
2007130423.tif 000004
【図３】
2007130423.tif 000005
【図４】
2007130423.tif 000006
(57)【要約】      （修正有）【課題】従来、目尻、額等顔面内の乳液マッサージ、パック等を行う際には、指により皮膚のしわをのばしながらおこなわれているが、この方法では片手がふさがってしまうとともに、作業時間が短くなり十分な効果が得られがたかった。【解決手段】上記の課題に対し、本発明品を使用することによりしわをのばしながら、容易にマッサージ、パック等が行えるものである。本発明品は、柔らかいプラスチック素材又は厚紙をコの字型に折り曲げ、その両端に楕円形の接着面を接続したものであり、接着面は皮膚にやさしい両面テープ等皮膚に直に貼付けることができる接着剤を使用する。【選択図】図１
2007130427.tif 000002
【特許請求の範囲】
【請求項１】
目尻、額等顔面内のしわをのばしながら、乳液マッサージを行う際に用いるしわのばしを行う補助器具
【請求項２】
目尻、額等顔面内のしわをのばしながら、パック等を行う際に用いるしわのばしを行う補助器具
【請求項３】
目尻、額等顔面内のしわをのばしを行う器具
【請求項４】
化粧水を塗りこむ際に用いる器具
【発明の詳細な説明】
【技術分野】
【０００１】本発明は顔面内のしわをのばす美容作業のための補助器具に関する。
【発明の開示】
【発明が解決しようとする課題】
【０００２】従来目尻、額等顔面内のしわをのばしながら、乳液マッサージ、パック等を行う際は、指によりしわをのばして行っていた。
片手がふさがってしまうとともに、作業時間が短くなり十分な効果が得られ難かった。
【課題を解決するための手段】
【０００３】目尻、額等顔面内のしわをのばしながら、乳液マッサージを行う際に用いるしわのばしを行う補助器具【０００４】目尻、額等顔面内のしわをのばしながら、パック等を行う際に用いるしわのばしを行う補助器具【０００５】目尻、額等顔面内のしわをのばしを行う器具
【図１】
2007130427.tif 000003
【図２】
2007130427.tif 000004
【手続補正書】
【提出日】平成18年1月25日(2006.1.25)
【手続補正２】
【補正対象書類名】明細書
【補正対象項目名】全文
【補正方法】変更
【補正の内容】
【発明の詳細な説明】
【技術分野】
【０００１】本発明は顔面内のしわをのばす美容作業のための補助器具に関する。
【発明の開示】
【発明が解決しようとする課題】
【０００２】従来、目尻、額等顔面内の乳液マッサージ、パック等を行う際には、指により皮膚のしわをのばしながらおこなわれているが、この方法では片手がふさがってしまうとともに、作業時間が短くなり十分な効果が得られがたかった。
【課題を解決するための手段】
【０００３】目尻、額等顔面内のしわをのばしながら、乳液マッサージを行う際に用いるしわのばしを行う補助器具の開発、使用。【０００４】目尻、額等顔面内のしわをのばしながら、パック等を行う際に用いるしわのばしを行う補助器具の開発、使用。【０００５】目尻、額等顔面内のしわをのばしを行う器具の開発、使用。【０００６】化粧水を塗りこむ際に用いる器具の開発、使用。
【発明の効果】
【０００７】しわの内部まで乳液や化粧水の成分が十分浸透し、かつ、引き伸ばし効果でしわが減少する。
【発明を実施するための最良の形態】
【０００８】しわを片手でのばし、その状態で本発明品を貼りつける。
【図面の簡単な説明】
【０００９】
【図１】投影図
【図２】正面図
【図３】平面図
【符号の説明】
【００１０】１ａ          主材    柔らかい折り曲げ可能なプラスチック素材又は厚紙
１ｂ          接着面  楕円形で底面に皮膚にやさしい両面テープ等接着剤をつける
２ａ          主材    柔らかい折り曲げ可能なプラスチック素材又は厚紙
２ｂ          接着面  楕円形で底面に皮膚にやさしい両面テープ等接着剤をつける
【手続補正３】
【補正対象書類名】図面
【補正対象項目名】全文
【補正方法】変更
【補正の内容】
【書類名】                              図面
【図１】
2007130427.tif 000005
【図２】
2007130427.tif 000006
【図３】
2007130427.tif 000007
(57)【要約】【課題】事務机等に市販の蛍光灯を簡単に取り付けが出来る上に机の天板部分を広く使えるようにした蛍光灯取り付け補助天板を提供する。【解決手段】机本体（１）の天板（２）と補助天板（３）とを複数個のダボ（８）で取り付け、補助天板（３）両側端に机上棚部（７）の左右の側板（５）を取り付け金具（９）で取り付け、左右側板（５）の下に左右それぞれ補強板（４）を設けたことを特徴とする。【選択図】図１
2007130425.tif 000002
【特許請求の範囲】
【請求項１】
机本体（１）の天板（２）と補助天板（３）とを複数個のダボ（８）で取り付け、補助天板（３）両側端に机上棚部（７）の左右の側板（５）を取り付け金具（９）で取り付け、左右側板（５）の下に左右それぞれ補強板（４）を設けた蛍光灯取り付け補助天板。
【発明の詳細な説明】
【技術分野】
【０００１】  本発明は事務机等に市販の蛍光灯を簡単に取り付けが出来る上に机の天板部分を広く使えるようにした蛍光灯取り付け補助天板に関する。
【背景技術】
【０００２】  最近のオフィスや家庭内のますますのＩＴ産業の進展に伴い、事務机やテーブル等の天板上にＯＡ機器等を載せて使用する事が増えているのが現状である。作業するには奥行きが不十分なため天板上が手狭となり、天板上の使用可能スペースの拡大が急務であった。しかしながら天板上は限られておりオフィスや家庭の大きさにも限度があるため、大型の事務机やテーブルは梱包や搬送コストを増す一方搬入家屋の間口の大きさにも限度があり導入することも無理な場合が多々あった。【０００３】  そのような中で天板上の使用可能スペースを有効利用するために、キーボードを天板下部に設けた専用引き出しに収納するタイプのものは周知となっている。また、天板下面に前後動及び上下動可能なスライド式の補助天板を設けて使用時にキーボードを天板前方に浮上させて使用するタイプのもの（特許文献１参照）も開発されている。これら以外にも様々な方法で補助天板の取り付け方法が考えられている。【０００４】
【特許文献１】公開番号  ：特許公開平１０−９４４３１  公開日：１９９６年４月１４日  出願番号  ：特許出願平８−２７５５３５  出願日：１９９８年９月２５日  出願人  ：株式会社くろがね工作所  発明者：小阪  志良  発明の名称：机等の補助天板装置
【発明の開示】
【発明が解決しようとする課題】
【０００５】  さまざまな方法で補助天板が取り付けられておりその中でかなりのものが既に商品化されて市販されている。作業者にとってはどうしても長時間になりがちなパソコンによる作業のためには、明かり取りはどうしても必要なものであった。しかし市販の蛍光灯スタンドを置くと天板上のスペースは当然のことながら狭められ使用可能な部分が減少するのは致し方なかった。本発明はこれを解消するために発明されたものである。つまり搬送には小さく使用時は大きく、明かり取り用の蛍光灯スタンドも容易に取り付けが出来天板上の使用可能なスペースを狭めることもないようにした蛍光灯取り付け補助天板を提供することを課題とする。
【課題を解決するための手段】
【０００６】  机本体（１）の天板（２）と補助天板（３）とを複数個のダボ（８）で取り付け、補助天板（３）両側端に机上棚部（７）の左右の側板（５）を取り付け金具（９）で取り付け、左右側板（５）の下に左右それぞれ補強板（４）を設ける。
本発明は以上の構成よりなる蛍光灯取り付け補助天板である。
【発明の効果】
【０００７】  本発明を利用すれば、従来は蛍光灯スタンドをただ単に置くだけか、あるいは上棚板下面に蛍光灯がただ単に付いているだけであったものを、蛍光灯スタンドが容易に設置出来るうえに机本体の天板が１００％有効に利用出来るだけでなく補助天板の上も蛍光灯スタンド以外の部分も利用出来ることになり、結果として使用可能面積が増えることになる。又、オフィスや家庭内でＯＡ機器等を使用する際に、従来は手狭になっていた天板上に補助天板を取り付けたことで広く使えるようになる上に、蛍光灯スタンドの設置も容易に出来、より明るい環境での作業が可能となり作業者の目にもよくなり長時間の作業も可能となる。
【発明を実施するための最良の形態】
【０００８】  以下に本発明を実施するための最良の形態について詳しく説明する。
机本体（１）の天板（２）奥の裏面と補助天板（３）とを通常３〜４個のダボ（８）で取り付け、補助天板（３）を安定させるために補助天板（３）の下には左右それぞれ補強板（４）を設ける。本発明は以上の構成よりなる事務机等に簡単に取り付け可能な蛍光灯取り付け補助天板である。
【実施例】
【０００９】  本発明の実施例について詳しく説明する。
机本体（１）の天板（２）部分の最奥部の裏面に３〜４個ダボ穴（１１）をあけ、ダボ（８）を埋め込む。位置を合わせて補助天板（３）にもダボ穴（１１）をあけ前記のダボ（８）を埋め込み天板（２）と補助天板（３）を接合させる。【００１０】  補助天板（３）と天板（２）との接合をより強力にするために、補助天板（３）の左右端の下に左右の補強板（４）を設け、補助天板（３）の左右の端と本などをのせる机上棚部（７）の左右の側板（５）とを取り付け金具（９）にて取り付ける。【００１１】  これを使用する時は、蛍光灯スタンド（６）の固定具（１０）で補助天板（３）と固定させて使用する。
【図面の簡単な説明】
【００１２】
【図１】      本発明を使用した机の斜視図
【図２】      本発明を使用してダボを取り付けた拡大模式図
【図３】      本発明使用した背面図
【符号の説明】
【００１２】      （１）      机本体
（２）      天板
（３）      補助天板
（４）      補強板
（５）      側板
（６）      蛍光灯スタンド
（７）      机上棚部
（８）      ダボ
（９）      取り付け金具
（１０）      固定具
（１１）      ダボ穴
【図１】
2007130425.tif 000003
【図２】
2007130425.tif 000004
【図３】
2007130425.tif 000005
(57)【要約】【課題】    パンツトレーニング中、或いはおむつ離れ直後の幼児がチャイルドシートや、ベビーシートにおもらしをすると後始末に手こずる問題があった。特に、チャイルドシート或いはベビーシート中央部のベルト止め周辺をどのように保護するかに問題があり、又チャイルドシート・ベビーシートには、メーカーにより様々な形状があり、これらに対応するカバーが求められていた。【解決手段】    発明品は、末広がり型のシートパッドをチャイルドシート・ベビーシートにあわせて形状を整え、その上に交換用長方形型のシートパッドを重ねて使用する。長方形型のシートパッドは折り曲げて、ベルト止め周辺を覆う他、長方形のまま使用したり、伸縮テープ付きベルトを使用したりし、チャイルドシート・ベビーシートの形状により使い分けをし、課題を解決する。【選択図】図１
2007130422.tif 000002
【特許請求の範囲】
【請求項１】
本発明品は、チャイルドシート・ベビーシート使用中の幼児のおもらしに対応するための男女共用チャイルドシート・ベビーシート用シートパッドである。
考案品は、末広がりのシートパッドに切れ目があり、脱着テープを接着させ、シートの形状にあわせて形を整えた後、その上に交換用の長方形型シートパッドを重ねて使用するものである。重ねたシートパッドは長方形のまま使用できるほか、幼児が座った後、下部を折り曲げ幼児の腹部までおおい、中央のベルト止めにシートベルトを差し込む際押さえて使用する。
中央にベルト止めのない形状のチャイルドシート・ベビーシートは、長方形シートパッドを重ねてそのまま使用できるほか、折り曲げて末広がりのシートパッドと接着させて使用する。
また、形状の異なるチャイルドシートと発明品を固定させる為には、伸縮テープ付きのベルトで固定することが可能である。
【発明の詳細な説明】
【技術分野】
【０００１】    本発明品は、チャイルドシート・ベビーシート使用中の幼児のおもらしに対応するための男女共用チャイルドシート・ベビーシート用シートパッドである。
考案品は、末広がりのシートパッドに切れ目があり、脱着テープを接着させ、シートの形状に合わせて形を整えた後、その上に交換用の長方形型シートパッドを重ねて使用するものである。重ねたシートパッドは幼児が座った後、下部を折り曲げ幼児の腹部までおおい、中央のベルト止めにシートベルトを差し込む際押さえて固定する。状況に応じ長方形での使用も可能。
形状の異なるチャイルドシートと発明品を固定させる為には、伸縮テープ付きのベルトで固定することも可能である。
【技術背景】
【０００２】    幼児を長時間チャイルドシート・ベビーシートに座らせる必要がある際、特におむつを取るトレーニング中の幼児或いは、おむつ離れしたばかりの幼児に、おむつを使用すると、その後、おむつを外したがらない問題が生じる。又、チャイルドシート・ベビーシートにおもらしをされると、後始末は大変困難である。
考案品は、市販の同目的のシートカバーを探したが、適当な商品を見つけることができなかったことから、考案されたものである。
【発明の開示】
【発明が解決しようとする課題】
【０００３】    何よりも、取り外し簡単な、経済的なシートパッドであること。
幼児の尿が集中するチャイルドシート・ベビーシート中央にあるベルト止め周辺をどのように保護するか。又、チャイルドシート・ベビーシートのメーカーによる形状の違いに対応可能なシートパッドが求められる。
【発明を解決するための手段】
【０００４】    発明品は末広がりのシートパッドの上に、交換用の長方形のシートパッドを重ね、折り上げて、幼児の腹部を覆うことで課題を解決している。
又、チャイルドシート・ベビーシートのメーカーによる形状の違いに対応するために、伸縮テープ付きのベルトで固定することにより目的を達している。
【発明の効果】
【０００５】    発明品により、幼児のチャイルドシート・ベビーシート使用時のおもらしによる後始末の煩雑さが解消される。
【発明品を実施するための最良の形態】
【０００６】    図１は末広がりのシートパッドに切り目（カット）があり、脱着テープで接着し、シートの形状にあわせて形を整え、その上に交換用の長方形シートパッドを重ね使用するものである。
又、チャイルドシート・ベビーシートのメーカーによる形状の違いに対応できるよう、固定用伸縮テープ付きのベルトも取り付けてある。
【産業上の利用可能性】
【０００７】    本発明は、形状もシンプルで、構造も簡単であり、工業的に量産可能で、産業上の利用可能性を有する。
【図面の簡単な説明】
【０００８】
【図１】  おもらし用末広がりのシートパッドの組立て方と交換用の長方形シートパッドの重ね方、ベルトの取り付け方を記号入りで示した平面図である。
【図２】  図１．Ｂの長方形のシートパッドをＡに重ねた装着例
【図３】  図１．Ａの形を整え、ＡにＢを重ね、Ｂを折り曲げてチャイルドシートのシートベルトをベルト止めに装着した例。
【図４】  チャイルドシート・ベビーシートにベルト止めが無い形状の装着例
【図５】  幼児が発明品を装着した使用例（ベルト止め付）
【符号の説明】
【０００９】  Ａ      末広がり型シートパッド
Ａａ    Ａの裏
Ｂ      交換用長方形型シートパッド（Ａに重ねる）
Ｂａ    長方形型シートパッドの裏（Ｂの裏）
Ｃ      Ａとチャイルド・ベビーシート固定用の（伸縮テープ付）ベルト
（チャイルド・ベビーシートの形状によりＬとＭに接着）
Ｄ      カット部分
Ｅ      カット部分
Ｆ      カット部分
Ｇ      ＪとＫへの接着部
Ｈ      Ｐとの接着部
Ｉ      Ｑへの接着部
Ｊ      Ｇとの接着部
Ｋ      Ｇとの接着部
Ｌ      Ｃへの接着部
Ｍ      Ｃへの接着部
Ｎ      Ｒへの接着部
Ｏ      Ｓへの接着部
Ｐ      Ｈへの接着部
Ｑ      Ｉへの接着部
Ｒ      Ｎへの接着部
Ｓ      Ｏへの接着部
Ｔ      ベルト
Ｕ      ベルト止め
Ｖ      チャイルドシート・ベビーシート
Ｗ      幼児
【図１】
2007130422.tif 000003
【図２】
2007130422.tif 000004
【図３】
2007130422.tif 000005
【図４】
2007130422.tif 000006
【図５】
2007130422.tif 000007
(57)【要約】【課題】強膜切開術用アダプタを提供する。【解決手段】強膜切開術用アダプタ１０はハブ１２を有した薄壁カニューレ１４を備える。カニューレ１４は、２０ゲージの外科用器具外径と略同一の外径であり、内孔において、２３ゲージ又は２5ゲージの外科用器具よりも僅かに大きい直径である。アダプタ１０のハブ１２の強膜接触表面は、外科用器具のシャフトの旋回点を提供し、それによって外科用器具の比較的細いシャフトに作用する曲げ力を低減させるために、丸められることができる。【選択図】図２
2007130472.tif 000002
【特許請求の範囲】
【請求項１】
ａ）ハブと、
ｂ）前記ハブに接続されたカニューレと、
を備え、
前記カニューレは、外径が２０ゲージの外科用器具と略同一であり、内径が２３ゲージ又は２５ゲージの外科用器具よりも僅かに大きい強膜切開術用アダプタ。
【請求項２】
前記ハブに丸まった肩部をさらに備える、請求項１に記載の強膜切開術用アダプタ。
【請求項３】
前記カニューレに丸まった先端をさらに備える、請求項１に記載の強膜切開術用アダプタ。
【請求項４】
前記外径は０．８６３６ｍｍから０．９６５２ｍｍの範囲である、請求項１に記載の強膜切開術用アダプタ。
【発明の詳細な説明】
【技術分野】
【０００１】
本発明は、大きく分けて、顕微手術（マイクロサージェリー）分野に関し、より詳細には後区眼科顕微手術に関する。
【背景技術】
【０００２】
外科用器具を目に挿入する現在の硝子体網膜技術は、結膜の切開と、強膜を通した扁平部強膜切開部の形成とを必要とする。結膜の切開は、典型的には、強膜の広い面積を露出させるように目の周りに結膜を引っ張って後退させることを伴う。切開部の形成に続いて、外科用器具がこれら切開部に通され、挿入された器具は顕微鏡や矯正光学装置を用いて瞳孔を通して観察される。これら器具を使用して、目の内部の網膜組織を操作及び／又は切開すると共に、特定の網膜治療法（例えば光凝固術）を実施する。硝子体網膜手術のために形成される多くの強膜切開部は、必要とされる器具を収容するのに十分な大きさにされる。器具の挿入される部分は典型的には直径で１９又は２０ゲージ（約１ｍｍ）である。特定の治療処置が完了した後で、挿入された器具が強膜の切開部から除去される。強膜の切開部は１９又は２０ゲージの器具を通すに十分な大きさになっているので、切開部は、通常、自然に塞がるには大きすぎる。したがって、切開部は縫合して閉鎖されなくてはならない。強膜切開部の縫合に続いて、術者が結膜を正常な位置に戻して結膜切開部を縫合する。このような方法及び技術は硝子体網膜疾患の治療において有効であることが分かっている一方で、縫合を必要とする処置から離れて、代わりに大きく簡素化された無縫合処置を求める強い動機付けが存在する。したがって、最近の外科用器具の中には、基部のカニューレ又はシャフトが２３又は２５ゲージ程度になるように小型化されているものもある。多くの外科医は小型の器具を使用することを好んでいるが、外科処置の際により大きいゲージの器具を使用しなくてはならないときもある。このことは、より大型の器具を収容するに十分に大きく強膜切開術を行うことを要求する。しかしながら、大きな切開部は、処置において後で小さいゲージサイズの器具を使用するときに、漏れを生じさせる可能性がある。
【発明の開示】
【発明が解決しようとする課題】
【０００３】
したがって、切開部が、より大きいゲージサイズの器具に対応できるサイズでありながら、より小さいゲージサイズの器具の使用を容易にする強膜切開術用アダプタの必要性が変わらず存在する。
【課題を解決するための手段】
【０００４】
本発明は、外径が２０ゲージの外科用器具の外径にほぼ等しく、内孔内において、直径が２３ゲージ又は２５ゲージの外科用器具よりも僅かに大きいハブを備えた薄壁カニューレを提供することによって従来技術に改良を加える。アダプタのハブの強膜接触表面は、外科用器具シャフトの旋回点を提供して、それによって器具の比較的細いシャフトに作用する曲げ力を減少させるために丸みを帯びさせることができる。
【０００５】
したがって、本発明の一つの目的は、強膜切開術用アダプタを提供することにある。
また、本発明の他の目的は、ハブを有した薄壁カニューレを提供することにある。
本発明の他の目的は、外科用器具に作用する曲げ力を低減させることを助ける強膜切開術用アダプタを提供することにある。
本発明の上述及び他の利点及び目的は、以下の詳細な説明及び添付特許請求の範囲から明らかとなる。
【発明を実施するための最良の形態】
【０００６】
図１及び図２から分かるように、本発明の強膜切開術用アダプタ１０は、通常、カニューレ又はシャフト１４と一体的に形成されたハブ１２を備えている。アダプタ１０は、ステンレス鋼又はチタンのような任意の適した材料から形成され得るが、成形された又は機械加工された熱可塑性材料が好ましい。アダプタ１０は、ハブ１２及びカニューレ１４を通ってアダプタ１０の全長にわたって延びる内孔１６を含んでいる。ハブ１２は、平面図では、小径が約１２．７０ｍｍ（０．５０インチ）から約１７．７８ｍｍ（０．７０インチ）であり且つ大径が約２０．３２ｍｍ（０．８０インチ）から約２．５４ｍｍ（０．１０インチ）である円形又は楕円形とすることができる。カニューレ１４は、ハブ１２から遠位側に、約２．５４０ｍｍ（０．１００インチ）から約５．０８０ｍｍ（０．２００インチ）、最も好ましくは３．６８３ｍｍ（０．１４５インチ）まで延びている。好ましくは、カニューレ１４の先端２２は、切開部への挿入を容易にするために丸まっている。カニューレ１４は、０．８６３６ｍｍ（０．０３４インチ）から０．９６５２ｍｍ（０．０３８インチ）程度の２０ゲージの外科用器具の外径にほぼ等しい外径を有している。内孔１６は、２３ゲージ又は２５ゲージの外科用器具の外径よりも僅かに大きい直径を有している。ハブ１２は、内孔１６への入口に、例えば４５°で切り落とされた面取り部分又は傾斜部分１８を含んでおり、この部分は内孔１６への外科用ツールの挿入の際に助けとなる。ハブ１２は、また、丸まった肩部２０を含んでおり、この肩部２０が切開部に接触してハブ１２が切開部に入ることを防止する。肩部２０は、また、アダプタ１０の旋回点を提供することを助け、アダプタ１０の旋回点はアダプタ１０と共に使用している間に外科用ツールの曲がりを防止することを助ける。
【０００７】
以上の説明は、例示及び説明のためになされたものである。関連する技術分野における当業者には、本発明の範囲及び精神から逸脱することなく上述した本発明に変更及び改変を加えることができることは明白であろう。
【図面の簡単な説明】
【０００８】
【図１】本発明の強膜切開術用アダプタの端面図である。
【図２】本発明の強膜切開術用アダプタの縦断面図である。
【符号の説明】
【０００９】
１０    アダプタ
１２    ハブ
１４    カニューレ
１６    内孔
１８    面取り部分
２０    肩部
【図１】
2007130472.tif 000003
【図２】
2007130472.tif 000004